(57)【要約】【課題】フレキシブル探触子に適した感度調整を行い得るフレキシブル探触子の感度校正方法及び超音波探傷用対比試験片並びに超音波探傷方法を提供する。【解決手段】複数の凹曲面２１ａ，２２ａ，２３ａと、凹曲面２１ａ，２２ａ，２３ａ毎に近傍に配置された複数の横孔２１ｂ，２２ｂ，２３ｂを有する対比試験片２０を製作し、対比試験片２０の複数の凹曲面２１ａ，２２ａ，２３ａ毎にフレキシブル探触子１の振動子１２を沿わせて接触配置して超音波の送受信を行い、距離振幅特性曲線によるエコー高さ区分線を対比試験片２０の複数の凹曲面２１ａ，２２ａ，２３ａそれぞれに対して作成し、対比試験片２０の凹曲面２１ａ，２２ａ，２３ａのうちの余盛Ｗｅの凹曲面Ｗａと同じ形状乃至は近似する形状の曲面に対して作成したエコー高さ区分線を距離振幅特性曲線による余盛Ｗｅの凹曲面Ｗａのエコー高さ区分線として設定する。【選択図】図２
2018059800.tif 000002
【特許請求の範囲】
【請求項１】
複数の振動子を有するフレキシブル探触子を被試験体の曲面に沿って接触配置して超音波探傷を行う際のフレキシブル探触子の感度校正方法であって、
断面が互いに相似する複数の曲面と、前記複数の曲面毎に設定された領域内における該曲面から互いに深さが異なる部位に位置する複数の孔を有する超音波探傷用対比試験片を製作し、
該超音波探傷用対比試験片の前記複数の曲面毎に前記フレキシブル探触子の前記複数の振動子を沿わせて接触配置して超音波の送受信を行い、
前記複数の孔の深さを横軸とすると共に前記複数の孔からのエコー強度を縦軸とした距離振幅特性曲線によるエコー高さ区分線を前記超音波探傷用対比試験片の前記複数の曲面それぞれに対して作成し、
前記超音波探傷用対比試験片の前記複数の曲面のうちの前記被試験体の前記曲面と同じ形状の曲面に対して作成されたエコー高さ区分線乃至は近似する形状の曲面に対して作成したエコー高さ区分線を前記距離振幅特性曲線による前記被試験体の前記曲面のエコー高さ区分線として設定するフレキシブル探触子の感度校正方法。
【請求項２】
前記超音波探傷用対比試験片の前記複数の曲面が互いに曲率半径の異なる円弧状の曲面であり、前記被試験体の前記曲面における曲率半径の値が前記超音波探傷用対比試験片の前記複数の曲面のうちの近似する２つの曲面における各曲率半径の間の値である場合には、前記２つの曲面に対してそれぞれ作成された前記距離振幅特性曲線によるエコー高さ区分線間を線形に補間するエコー高さ区分線を作成して、前記被試験体の前記曲面のエコー高さ区分線として設定する請求項１に記載のフレキシブル探触子の感度校正方法。
【請求項３】
前記被試験体の前記曲面が隅肉溶接における余盛の曲面である請求項１又は２に記載のフレキシブル探触子の感度校正方法。
【請求項４】
複数の振動子を被試験体の曲面に沿って接触配置して超音波探傷を行うフレキシブル探触子の感度校正で用いる超音波探傷用対比試験片であって、
断面形状が互いに相似する複数の曲面と、
前記複数の曲面毎に設定された領域内における該曲面から互いに深さが異なる部位に位置する複数の孔を有する超音波探傷用対比試験片。
【請求項５】
請求項１〜３のいずれかに記載のフレキシブル探触子の感度校正方法で超音波探傷時における感度の調整が成された前記フレキシブル探触子を用いて前記被試験体の超音波探傷を行うに際して、
前記被試験体の前記曲面に前記フレキシブル探触子の前記複数の振動子を沿わせて接触配置すると共に該フレキシブル探触子を前記曲面に沿って移動させつつ超音波の送受信を行い、
前記被試験体のきずからのエコー強度が前記被試験体の前記曲面用に設定された前記距離振幅特性曲線による検出判定基準線を越える範囲をきず指示長さとして判定する超音波探傷方法。
【発明の詳細な説明】
【技術分野】
【０００１】
本発明は、複数の振動子を有するフレキシブル探触子を被試験体の曲面に沿って接触配置して超音波探傷を行うに際して、フレキシブル探触子の探傷感度を調整するのに用いられるフレキシブル探触子の感度校正方法及び超音波探傷用対比試験片並びに超音波探傷方法に関するものである。
【背景技術】
【０００２】
非破壊検査の１つとして、超音波を用いた探傷試験が従来から行われている。被試験体内に入射した超音波は、進む距離（ビーム路程）が長くなるにつれて減衰する。つまり、被試験体内に同じ大きさのきずが複数存在する場合には、超音波探触子からの距離が遠いきずの信号強度は距離が近いきずよりも小さくなる。したがって、超音波探傷を行う場合には、超音波の距離による減衰を考慮した超音波探触子の探傷感度の調整（感度校正）が必要になる。
【０００３】
従来における感度校正方法としては、JIS-Z 3060に記載された超音波探傷用対比試験片を用いる感度校正方法がある。
【０００４】
この感度校正方法は、まず、被試験体の板厚に合わせた超音波探傷用対比試験片を選択する。そして、この超音波探傷用対比試験片に設置された複数の横孔のうちのエコー強度（横孔で反射して戻る超音波の信号強度）が最大になる横孔を特定し、この横孔のエコー強度が８０％になるように感度を調整して基準感度とする。次いで、この感度で他の横孔のエコー強度を測定して、距離振幅特性曲線(Distance amplitude curve:DAC)を作成するようにしている。
【０００５】
ここで、距離振幅特性曲線とは、超音波が被試験体中を進む距離によって、エコー高さが変化する程度を示す曲線であり、同じ大きさのきずであればその部位にかかわらず同じように評価できるようにするためのものである。
【０００６】
この後、感度校正方法によって探傷感度の調整が成された超音波探触子を用いて被試験体に対する超音波探傷を行う場合には、被試験体に超音波探触子を接触配置して移動させつつ超音波の送受信を行い、距離振幅特性曲線による検出判定基準線（例えば、エコー強度が最大になる横孔の２５％レベル）を越える範囲をきず指示長さとして検出する。
なお、上記感度校正方法における超音波探傷用対比試験片を用いた感度調整や距離振幅特性曲線の作成に関しては、例えば、非特許文献１に記載されている。
【先行技術文献】
【非特許文献】
【０００７】
【非特許文献１】日刊工業新聞  ２０１３年１１月２６日発行  「絵とき  超音波探傷  基礎のきそ」
【発明の概要】
【発明が解決しようとする課題】
【０００８】
ところで、近年において、曲面を有する被試験体に対して超音波探傷を行うべく、複数の振動子を有するフレキシブル探触子を用いた超音波探傷方法が検討されている。
【０００９】
ここで、フレキシブル探触子は、帯状のフレキシブル基板と、このフレキシブル基板に並べて配置される複数の振動子を備えている。フレキシブル基板は、主として高分子材料から成る可撓性又は柔軟性を有するもので、被試験体上において曲面に合わせて変形することで、複数の振動子を被試験体の曲面に沿って接触配置させることができる。
なお、フレキシブル基板はシート状を成すものであってもよい。
【００１０】
しかしながら、このようなフレキシブル探触子の感度校正方法は未だ確立されておらず、JIS-Z 3060に記載された超音波探傷用対比試験片を用いて行っているのが現状である。
【００１１】
したがって、フレキシブル探触子に適した感度校正を行い得る感度校正方法の構築が待ち望まれており、これを解決することが従来の課題となっていた。
【００１２】
本発明は、上述した課題に着目してなされたものであり、曲面を有する被試験体に対して超音波探傷を実施し得るフレキシブル探触子に最適な感度調整を行うことが可能であるフレキシブル探触子の感度校正方法及び超音波探傷用対比試験片並びに超音波探傷方法を提供することを目的としている。
【課題を解決するための手段】
【００１３】
本発明の第１の態様は、複数の振動子を有するフレキシブル探触子を被試験体の曲面に沿って接触配置して超音波探傷を行う際のフレキシブル探触子の感度校正方法であって、断面が互いに相似する複数の曲面と、前記複数の曲面毎に設定された領域内における該曲面から互いに深さが異なる部位に位置する複数の孔を有する超音波探傷用対比試験片を製作し、該超音波探傷用対比試験片の前記複数の曲面毎に前記フレキシブル探触子の前記複数の振動子を沿わせて接触配置して超音波の送受信を行い、前記複数の孔の深さを横軸とすると共に前記複数の孔からのエコー強度を縦軸とした距離振幅特性曲線によるエコー高さ区分線を前記超音波探傷用対比試験片の前記複数の曲面それぞれに対して作成し、前記超音波探傷用対比試験片の前記複数の曲面のうちの前記被試験体の前記曲面と同じ形状の曲面に対して作成されたエコー高さ区分線乃至は近似する形状の曲面に対して作成したエコー高さ区分線を前記距離振幅特性曲線による前記被試験体の前記曲面のエコー高さ区分線として設定する構成としている。
【００１４】
本発明の第２の態様において、前記超音波探傷用対比試験片の前記複数の曲面が互いに曲率半径の異なる円弧状の曲面であり、前記被試験体の前記曲面における曲率半径の値が前記超音波探傷用対比試験片の前記複数の曲面のうちの近似する２つの曲面における各曲率半径の間の値である場合には、前記２つの曲面に対してそれぞれ作成された前記距離振幅特性曲線によるエコー高さ区分線間を線形に補間するエコー高さ区分線を作成して、前記被試験体の前記曲面のエコー高さ区分線として設定する構成としている。
【００１５】
本発明の第３の態様において、前記被試験体の前記曲面が隅肉溶接における余盛の曲面である構成としている。
【００１６】
本発明の第４の態様は、複数の振動子を被試験体の曲面に沿って接触配置して超音波探傷を行うフレキシブル探触子の感度校正で用いる超音波探傷用対比試験片であって、断面形状が互いに相似する複数の曲面と、前記複数の曲面毎に設定された領域内における該曲面から互いに深さが異なる部位に位置する複数の孔を有する構成としている。
【００１７】
本発明の第５の態様は、請求項１〜３のいずれかに記載のフレキシブル探触子の感度校正方法で超音波探傷時における感度の調整が成された前記フレキシブル探触子を用いて前記被試験体の超音波探傷を行うに際して、前記被試験体の前記曲面に前記フレキシブル探触子の前記複数の振動子を沿わせて接触配置すると共に該フレキシブル探触子を前記曲面に沿って移動させつつ超音波の送受信を行い、前記被試験体のきずからのエコー強度が前記被試験体の前記曲面用に設定された前記距離振幅特性曲線による検出判定基準線を越える範囲をきず指示長さとして判定する構成としている。
【発明の効果】
【００１８】
本発明に係るフレキシブル探触子の感度校正方法によれば、曲面を有する被試験体に超音波探傷を実施し得るフレキシブル探触子に対して最適な感度調整を行うことが可能であるという優れた効果がもたらされる。
【図面の簡単な説明】
【００１９】
【図１】本発明の一実施形態に係るフレキシブル探触子の感度校正方法で感度調整されたフレキシブル探触子による超音波探傷要領を示す概略説明図である。
【図２】本発明の一実施形態に係るフレキシブル探触子の感度校正方法で用いられる超音波探傷用対比試験片の一形態例を示す全体斜視説明図である。
【図３】本発明の一実施形態に係るフレキシブル探触子の感度校正方法により超音波探傷用対比試験片の複数の曲面毎に作成したエコー高さ区分線を示す距離振幅特性曲線図である。
【図４】本発明の一実施形態に係る超音波探傷方法のきず指示長さを検出する一実施要領を示す検出判定基準図（ａ）〜（ｃ）である。
【図５】本発明に係るフレキシブル探触子の感度校正方法で用いられる超音波探傷用対比試験片の他の形態例を示す側面説明図である。
【発明を実施するための形態】
【００２０】
以下、本発明に係るフレキシブル探触子の感度校正方法及び超音波探傷用対比試験片並びに超音波探傷方法を図面に基づいて説明する。
図１〜図４は、本発明に係るフレキシブル探触子の感度校正方法及び超音波探傷用対比試験片並びに超音波探傷方法の一実施形態を示しており、この実施形態では、超音波探傷を実施する被試験体が、隅肉溶接における円弧状曲面を有する余盛の部分である場合を例に挙げて説明する。
【００２１】
この実施形態で例示する被試験体は、図１に示すように、底板Ｗｈに側板Ｗｓを隅肉溶接により接合する際の余盛（溶接金属）Ｗｅの部分である。そして、被試験体の曲面は、余盛Ｗｅの溶接方向に沿う断面が円弧状の凹曲面Ｗａであり、この余盛Ｗｅの凹曲面Ｗａには、底板Ｗｈ及び側板Ｗｓとの各境目部分が含まれる。
【００２２】
このような余盛Ｗｅの部分に超音波探傷を実施するのに用いるフレキシブル探触子１は、図外のパルス送受信器と接続するコネクタ部１１と、複数の振動子１２と、これらの振動子１２を直線状に並べて保持するベルト（帯状の基板）１３を備えている。このベルト１３に保持される複数の振動子１２は、超音波探傷時において、図示しないグリセリンペーストやマシン油等の接触媒質を介して余盛Ｗｅの凹曲面Ｗａの円弧に沿うようにして接触配置される。
なお、図１における大小多数の円は、複数の振動子１２から発せられる超音波の広がりの一部を示している。
【００２３】
超音波が余盛Ｗｅ内を進むにしたがって減衰することを考慮して、フレキシブル探触子１の探傷感度の調整（感度校正）を行う必要がある。フレキシブル探触子１の探傷感度を調整するに際しては、まず、図２に示すように、直方体形状の超音波探傷用対比試験片２０（以降、対比試験片２０と呼称する。）を製作する。
【００２４】
この場合、対比試験片２０の上面２０ａには、長手方向（図２左右方向）に沿って３つの溝２１，２２，２３が互いに並行に並べて形成されている。これらの溝２１，２２，２３の各内面はいずれも断面が円弧状の凹曲面２１ａ，２２ａ，２３ａであり、互いに曲率半径を違えて形成されている。凹曲面２１ａ，２２ａ，２３ａの各曲率半径はそれぞれＲ１０，Ｒ１５，Ｒ２０であり、対比試験片２０の上面２０ａから凹曲面２１ａ，２２ａ，２３ａの各最下点までの距離はいずれも１０ｍｍとなっている。
【００２５】
また、対比試験片２０の断面が互いに相似する３つの溝２１，２２，２３毎に設定された近傍領域内には、口径φ３ｍｍの幅方向（図２奥行方向）に沿う横孔２１ｂ，２２ｂ，２３ｂが複数個ずつ配置されている。例えば、溝２１近傍の複数個の横孔２１ｂは、凹曲面２１ａから互いに深さが異なる部位に位置しており、この実施形態において、横孔２１ｂは、凹曲面２１ａから４ｍｍ、８ｍｍ、１２ｍｍ、１６ｍｍ、２０ｍｍ離れた部位に合計５個配置されている。溝２２，２３近傍の各横孔２２ｂ，２３ｂも、溝２１近傍の横孔２１ｂと同様にして５個ずつ配置されている。
【００２６】
なお、対比試験片２０の材質は特に限定しないが、音響特性を考慮して被試験体である余盛Ｗｅの部分と同じか同等の材質から成るものとすることが望ましい。
【００２７】
次いで、対比試験片２０の３つの溝２１，２２，２３毎において、各々の凹曲面２１ａ，２２ａ，２３ａに、図２に仮想線で示すように、フレキシブル探触子１の複数の振動子１２を沿わせて、図示しないグリセリンペーストやマシン油等の接触媒質を介して接触配置して超音波の送受信を行う。
【００２８】
そして、図３に示すように、複数の横孔２１ｂ，２２ｂ，２３ｂのうちのエコー強度が最大になる横孔、この実施形態では溝２３のＲ２０の凹曲面２３ａから１２ｍｍ離れた部位に位置する横孔２３ｂを特定し、この横孔２３ｂのエコー強度が予め設定した割合になるように感度を調整して基準感度とする。
【００２９】
次に、この基準感度に基づいて、複数の横孔２１ｂ，２２ｂ，２３ｂの深さ（横孔までの距離）を横軸とすると共に複数の横孔２１ｂ，２２ｂ，２３ｂからのエコー強度を縦軸とした距離振幅特性曲線を作成し、この距離振幅特性曲線によるエコー高さ区分線を対比試験片２０の３つの溝２１，２２，２３における各凹曲面２１ａ，２２ａ，２３ａ毎にそれぞれ作成する。
【００３０】
ここで、この実施形態に係る対比試験片２０と同じ縦横幅寸法で、且つ、同じ材質の対比試験片（図示せず）を製作した。また、この対比試験片に、口径φ３ｍｍの横孔を対比試験片２０の横孔２１ｂと同じ位置に同数配置した。
この対比試験片の平らな上面にフレキシブル探触子１を接触配置して超音波の送受信を行い、これで取得したＲ０のエコー高さ区分線を参考に示す。
【００３１】
続いて、対比試験片２０の３つの溝２１，２２，２３における各凹曲面２１ａ，２２ａ，２３ａの中に、余盛Ｗｅの凹曲面Ｗａと同じ曲率半径の凹曲面（例えば凹曲面２１ａ）がある場合には、この凹曲面２１ａに対して作成されたＲ１０のエコー高さ区分線を距離振幅特性曲線による余盛Ｗｅの凹曲面Ｗａのエコー高さ区分線として設定する。
【００３２】
このとき、対比試験片２０の３つの溝２１，２２，２３における各凹曲面２１ａ，２２ａ，２３ａの中に、余盛Ｗｅの凹曲面Ｗａと同じ曲率半径の凹曲面がない場合には、凹曲面Ｗａに近似する曲率半径の凹曲面（例えば凹曲面２２ａ又は凹曲面２３ａ）に対して作成されたいずれかのエコー高さ区分線に近似するエコー高さ区分線を距離振幅特性曲線による余盛Ｗｅの凹曲面Ｗａのエコー高さ区分線として設定する。
【００３３】
具体的には、余盛Ｗｅの凹曲面Ｗａの曲率半径がＲ１７．５である場合には、まず、この凹曲面Ｗａの曲率半径に近似する曲率半径Ｒ１５の凹曲面２２ａに対して距離振幅特性曲線によるＲ１５のエコー高さ区分線を作成する。
次いで、凹曲面Ｗａの曲率半径に近似する曲率半径Ｒ２０の凹曲面２３ａに対して距離振幅特性曲線によるＲ２０のエコー高さ区分線を作成する。
そして、距離振幅特性曲線によるＲ１５及びＲ２０の各エコー高さ区分線間を線形に補間するＲ１７．５のエコー高さ区分線を作成して、これを余盛Ｗｅの凹曲面Ｗａのエコー高さ区分線として設定する。
【００３４】
このように、上記した実施形態に係るフレキシブル探触子の感度校正方法では、被試験体である余盛Ｗｅの凹曲面Ｗａの形状に近似する３つの凹曲面２１ａ，２２ａ，２３ａを有する対比試験片２０を用いて、フレキシブル探触子１の探傷感度の調整を行うようにしている。
【００３５】
したがって、余盛Ｗｅの凹曲面Ｗａと同じ曲率半径の凹曲面が対比試験片２０にある場合には勿論のこと、余盛Ｗｅの凹曲面Ｗａと同じ曲率半径の凹曲面が対比試験片２０にない場合であったとしても、余盛Ｗｅの凹曲面Ｗａに超音波探傷を実施するフレキシブル探触子１に適した感度調整を行い得ることとなる。
【００３６】
次に、上記したフレキシブル探触子の感度校正方法で超音波探傷時における感度の調整が成されたフレキシブル探触子１を用いて、余盛Ｗｅに対して超音波探傷を行う要領を説明する。
【００３７】
まず、余盛Ｗｅの凹曲面Ｗａに、フレキシブル探触子１を配置する。この際、図１に示すように、ベルト１３に保持される複数の振動子１２は、図示しないグリセリンペーストやマシン油等の接触媒質を介して余盛Ｗｅの凹曲面Ｗａの円弧に沿うようにして接触配置される。
【００３８】
この後、フレキシブル探触子１による超音波の送受信を開始し、超音波を送受信しながら余盛Ｗｅの凹曲面Ｗａに配置したフレキシブル探触子１を凹曲面Ｗａに沿って平行に移動させる（左右に走査する）。
【００３９】
そして、図４（ａ）に示すように、上記したフレキシブル探触子の感度校正方法において余盛Ｗｅの凹曲面Ｗａ用に設定された検出判定基準線Ｓをエコー強度が越えた場合には、このエコー強度が越えた図１のＩ点を深さ１０ｍｍ弱の位置にあるきずＦの一方の端部とする。
【００４０】
この際、距離振幅特性曲線による検出判定基準線Ｓは、例えば、余盛Ｗｅの凹曲面Ｗａ用に設定されたＲ１７．５のエコー高さ区分線におけるエコー強度の２５％レベル付近に設定される。
【００４１】
次いで、図４（ｂ）に示すように、エコー強度が検出判定基準線Ｓを大きく越える図１のＩＩ点を経て、図４（ｃ）に示すように、再びエコー強度が検出判定基準線Ｓを僅かに越える図１のＩＩＩ点をきずＦの他方の端部とし、図１のＩ点からＩＩＩ点までの範囲をきずＦの指示長さとする（きずＦの指示深さは１０ｍｍ弱）。
【００４２】
このように、上記した実施形態に係る超音波探傷方法では、凹曲面Ｗａを有する余盛Ｗｅに対して、感度調整が良好になされたフレキシブル探触子１によって超音波探傷を実施するので、余盛Ｗｅに生じているきずの検出精度が向上すると共に、きずの大きさの的確な評価を行い得ることとなる。
【００４３】
上記した実施形態に係るフレキシブル探触子の感度校正方法では、対比試験片２０が、互いに相似する３つの凹曲面２１ａ，２２ａ，２３ａと、これらの凹曲面２１ａ，２２ａ，２３ａ毎に各近傍に配置された複数の横孔２１ｂ，２２ｂ，２３ｂを有する構成としているが、これに限定されるものではない。
【００４４】
他の構成として、例えば、図５に示すように、対比試験片３０が、３つの突条３１，３２，３３の互いに相似するＲ１５０，Ｒ１００，Ｒ５０の凸曲面３１ａ，３２ａ，３３ａと、これらの凸曲面３１ａ，３２ａ，３３ａ毎に設定された領域内における該凸曲面３１ａ，３２ａ，３３ａから互いに深さが異なる部位に配置された複数の横孔３１ｂ，３２ｂ，３３ｂを有する構成としてもよい。
【００４５】
また、上記した実施形態に係るフレキシブル探触子の感度校正方法では、被試験体の前記曲面が隅肉溶接における余盛の曲面である場合を示したが、これに限定されるものではなく、被試験体の前記曲面が摩擦攪拌接合におけるビードの曲面であってもよい。
【００４６】
本発明は上述した実施形態に限定されるものではなく、本発明の趣旨を逸脱しない範囲で種々の変更が可能である。
【符号の説明】
【００４７】
１    フレキシブル探触子
１２  振動子
２０，３０  対比試験片（超音波探傷用対比試験片）
２１ａ，２２ａ，２３ａ  凹曲面（曲面）
２１ｂ，２２ｂ，２３ｂ  横孔（孔）
３１ａ，３２ａ，３３ａ  凸曲面（曲面）
３１ｂ，３２ｂ，３３ｂ  横孔（孔）
Ｆ    きず
Ｓ    検出判定基準線
Ｗａ  凹曲面（曲面）
Ｗｅ  余盛（被試験体）
【図１】
2018059800.tif 000003
【図２】
2018059800.tif 000004
【図３】
2018059800.tif 000005
【図４】
2018059800.tif 000006
【図５】
2018059800.tif 000007